(57)【要約】【課題】変形反力を抑制すること。【解決手段】可撓性基板は、前記可撓性基板の一端に配置され、第１基板に接続される第１接続部と、前記可撓性基板の他端に配置され、前記第１基板に対して第１方向と前記第１方向と交差する第２方向に移動可能な第２基板に接続される第２接続部と、前記第１接続部と前記第２接続部との間に配置され、前記第１方向から前記第１方向と逆方向に曲がる第１部分と、前記第１接続部と前記第２接続部との間に配置され、前記第２方向から前記第２方向と逆方向に曲がる第２部分とを有する。【選択図】図１
2019161439.tif 000002
【特許請求の範囲】
【請求項１】
可撓性基板であって、
前記可撓性基板の一端に配置され、第１基板に接続される第１接続部と、
前記可撓性基板の他端に配置され、前記第１基板に対して第１方向と前記第１方向と交差する第２方向に移動可能な第２基板に接続される第２接続部と、
前記第１接続部と前記第２接続部との間に配置され、前記第１方向から前記第１方向と逆方向に曲がる第１部分と、
前記第１接続部と前記第２接続部との間に配置され、前記第２方向から前記第２方向と逆方向に曲がる第２部分と
を有する可撓性基板。
【請求項２】
請求項１に記載の可撓性基板であって、
前記第１基板と前記第２基板は対向し、
前記第１方向と前記第２方向は前記第２基板に略平行な方向である
可撓性基板。
【請求項３】
請求項１または２に記載の可撓性基板であって、
前記第１基板と前記第２基板とが対向する間で前記第１部分と前記第２部分とを接続する第３部分を有する可撓性基板。
【請求項４】
請求項３に記載の可撓性基板であって、
前記第３部分は略Ｌ字形状である可撓性基板。
【請求項５】
請求項３に記載の可撓性基板であって、
前記第１基板の前記第１方向に沿った他端に接続される第３接続部と、前記第３接続部から前記第１方向に曲げた第４部分をさらに備える可撓性基板。
【請求項６】
請求項５に記載の可撓性基板であって、
前記第４部分は、前記第３部分において前記第１部分および前記第２部分と接続される可撓性基板。
【請求項７】
請求項６に記載の可撓性基板であって、
前記第３部分は略Ｔ字形状である可撓性基板。
【請求項８】
請求項１〜７のいずれか１つに記載の可撓性基板であって、
前記可撓性基板は、前記第１基板からの信号を前記第２基板に伝達する電気配線を有する可撓性基板。
【請求項９】
請求項１〜８のいずれか１つに記載の可撓性基板であって、
前記可撓性基板は、前記第１基板からの熱を前記第２基板に伝達する熱伝導基板である可撓性基板。
【請求項１０】
撮像素子を備える第１基板と、
前記第１基板に対向して配置された第２基板と、
一端が前記第１基板に接続され、他端が前記第２基板に接続された可撓性基板と、を備え、
前記可撓性基板は、前記第１基板と前記第２基板との間で前記第１基板の面内の第１方向に延びた第１部分と、前記第１基板の面内の、前記第１方向と交差する第２方向に延びた第２部分とを含む撮像装置。
【請求項１１】
請求項１０に記載の撮像装置であって、
前記可撓性基板の前記第１部分は、前記第１基板と前記第２基板との間で前記第１基板の面内の第１方向に曲げられた第１曲げ部を有し、
前記可撓性基板の前記第２部分は、前記第１基板の面内の、前記第１方向と交差する第２方向に曲げられた第２曲げ部を有する撮像装置。
【請求項１２】
請求項１１に記載の撮像装置であって、
前記可撓性基板を複数有し、
前記複数の可撓性基板を互いに直交する方向に組み合わせて配置した撮像装置。
【請求項１３】
請求項１２に記載の撮像装置であって、
前記複数の可撓性基板の一つは、前記第１基板からの信号を前記第２基板に伝達する電気配線を有し、
前記複数の可撓性基板の他は、前記第１基板からの熱を前記第２基板に伝達する熱伝導基板である、
撮像装置。
【発明の詳細な説明】
【技術分野】
【０００１】
本発明は、可撓性基板および撮像装置に関する。
【背景技術】
【０００２】
従来のフレキシブルプリント基板は、略Ｕ字形状に湾曲している。フレキシブルプリント基板において湾曲した部分に外力が加わった場合、湾曲方向には変形することができるが、湾曲方向に交差する方向には変形しにくい。
【先行技術文献】
【特許文献】
【０００３】
【特許文献１】特開２００８‐２７８３８２号公報
【発明の概要】
【０００４】
本願において開示される発明の一側面となる可撓性基板は、前記可撓性基板の一端に配置され、第１基板に接続される第１接続部と、前記可撓性基板の他端に配置され、前記第１基板に対して第１方向と前記第１方向と交差する第２方向に移動可能な第２基板に接続される第２接続部と、前記第１接続部と前記第２接続部との間に配置され、前記第１方向から前記第１方向と逆方向に曲がる第１部分と、前記第１接続部と前記第２接続部との間に配置され、前記第２方向から前記第２方向と逆方向に曲がる第２部分とを有する。
【０００５】
本願において開示される発明の一側面となる撮像装置は、撮像素子を備える第１基板と、前記第１基板に対向して配置された第２基板と、一端が前記第１基板に接続され、他端が前記第２基板に接続された可撓性基板と、を備え、前記可撓性基板は、前記第１基板と前記第２基板との間で前記第１基板の面内の第１方向に延びた第１部分と、前記第１基板の面内の、前記第１方向と交差する第２方向に延びた第２部分とを含む。
【図面の簡単な説明】
【０００６】
【図１】図１は、第１の実施の形態にかかるフレキシブルプリント基板を示す説明図である。
【図２】図２は、第１の実施の形態にかかる可撓性基板を実装した装置の構成例を示す斜視図である。
【図３】図３は、第２の実施の形態にかかる可撓性基板を実装した装置を示す斜視図である。
【図４】図４は、第３の実施の形態にかかるフレキシブルプリント基板を示す説明図である。
【図５】図５は、第３の実施の形態にかかる可撓性基板を実装した装置の構成例を示す斜視図である。
【図６】図６は、第４の実施の形態にかかるフレキシブルプリント基板を示す説明図である。
【図７】図７は、第４の実施の形態にかかる可撓性基板を実装した装置を示す斜視図である。
【図８】図８は、第５の実施の形態にかかる放熱シートを示す説明図である。
【図９】図９は、第５の実施の形態にかかる可撓性基板を実装した装置の構成例を示す斜視図である。
【図１０】図１０は、防振機構の側断面図である。
【発明を実施するための形態】
【０００７】
（第１の実施の形態）
第１の実施の形態にかかる可撓性基板および撮像装置について添付図面を用いて説明する。具体的には、たとえば、いわゆるフレキシブルプリント基板や放熱用の可撓性シートなどの可撓性基板と可撓性基板を実装した装置とについて説明する。この装置は、たとえば、撮像装置などの電子機器に実装される防振機構（手振れ補正機構）に適用される。
【０００８】
なお、以降の図においては、３次元空間を規定するＸＹＺ座標系を用いて方向を特定する。ＸＹＺ座標系において、Ｘ軸、Ｙ軸およびＺ軸は互いに直交しあう軸である。Ｘ軸、Ｙ軸およびＺ軸の矢印が指し示す方向を＋Ｘ方向、＋Ｙ方向および＋Ｚ方向とし、その逆方向を−Ｘ方向、−Ｙ方向および−Ｚ方向とする。なお、単に、Ｘ方向と表記する場合は、＋Ｘ方向および−Ｘ方向を含む双方向とする。Ｙ方向およびＺ方向も同様である。
【０００９】
＜フレキシブルプリント基板＞
図１は、第１の実施の形態にかかるフレキシブルプリント基板を示す説明図である。（Ａ）は、フレキシブルプリント基板１００の平面図であり、（Ｂ）は、フレキシブルプリント基板１００の斜視図である。（Ａ）において、フレキシブルプリント基板（Ｆｌｅｘｉｂｌｅ  Ｐｒｉｎｔｅｄ  Ｗｉｒｅｄ  ＢｏａｒｄまたはＦｌｅｘｉｂｌｅ  Ｐｒｉｎｔｅｄ  Ｃｉｒｃｕｉｔｓ）１００は略Ｌ字形状である。フレキシブルプリント基板１００は、たとえばポリイミドやポリエステルなどにより構成された基材の上に薄い銅箔の配線パターンを有し、その表面を保護する絶縁フィルムで被覆された可撓性基板である。
【００１０】
フレキシブルプリント基板１００の一端１０１は＋Ｙ方向に向けられ、他端１０２は＋Ｘ方向に向けられている。一端１０１および他端１０２はそれぞれ、後述するコネクタに接続するための端子を有する。一端１０１および他端１０２の間の領域を、第１中途部１０３、第２中途部１０４、および接続部１０５と称す。第１中途部１０３は、接続部１０５と一端１０１との間で＋Ｙ方向に延在し、第２中途部１０４は、接続部１０５と他端１０２との間で＋Ｘ方向に延在する。接続部１０５は、第１中途部１０３と第２中途部１０４とを接続する。
【００１１】
（Ｂ）は、一端１０１が＋Ｙ方向から−Ｙ方向に湾曲して第１中途部１０３においてフレキシブルプリント基板１００の表面１００ａが対向するように折り返し、かつ、他端１０２が＋Ｘ方向から−Ｘ方向に湾曲して第２中途部１０４においてフレキシブルプリント基板１００の裏面１００ｂが対向するように折り返した状態を示す。
【００１２】
第１中途部１０３のＹ方向の断面と第２中途部１０４のＸ方向の断面はともに略Ｕ字形状である。換言すれば、第１中途部１０３は、＋Ｙ方向に突出した湾曲状の凸部を構成する。また、第２中途部１０４は、＋Ｘ方向に突出した湾曲状の凸部を構成する。
【００１３】
＜可撓性基板を実装した装置の構成例＞
図２は、第１の実施の形態にかかる可撓性基板を実装した装置の構成例を示す斜視図である。可撓性基板を実装した装置２００は、第１回路基板２０１と、第２回路基板２０２と、フレキシブルプリント基板１００と、を有する。第１回路基板２０１は、ＸＹ平面に平行であり、Ｘ方向およびＹ方向に移動可能である。第１回路基板２０１は、その表面２０１ａに第１コネクタ２１１を有する。第１コネクタ２１１は、フレキシブルプリント基板１００の一端１０１との接続面が＋Ｙ方向に向いており、フレキシブルプリント基板１００の一端１０１と接続される。
【００１４】
第１回路基板２０１は、たとえば撮像素子とともに撮像ユニットを構成する回路基板（撮像ユニット基板）であり、撮像素子が実装される。撮像素子からの出力信号は、第１回路基板２０１からフレキシブルプリント基板１００を介して第２回路基板２０２に伝達される。
【００１５】
第２回路基板２０２はＸＹ平面に平行であり、第１回路基板２０１と対向する。第２回路基板２０２はその表面２０２ａに第２コネクタ２２１を有する。第２コネクタ２２１はフレキシブルプリント基板１００の他端１０２との接続面が−Ｘ方向に向いており、フレキシブルプリント基板１００の他端１０２と接続される。第２回路基板２０２は、たとえば撮像ユニットを制御するメイン回路を実装する回路基板（メイン基板）である。
【００１６】
第１回路基板２０１からの信号の伝達経路が一端１０１から始まり、第１中途部１０３で＋Ｙ方向から−Ｙ方向になり、接続部１０５で−Ｙ方向から旋回して＋Ｘ方向になり、第２中途部１０４で＋Ｘ方向から−Ｘ方向になって他端１０２に到達する。これにより、第１回路基板２０１からの信号が第２回路基板２０２に伝達される。
【００１７】
フレキシブルプリント基板１００に対し、たとえば第１回路基板２０１のＹ方向への移動によりＹ方向の外力が加わると、第１中途部１０３が当該外力を吸収するため第２中途部１０４におけるＹ方向のねじれによる変形反力を抑制する。同様に、フレキシブルプリント基板１００に対し、たとえば第１回路基板２０１のＸ方向への移動によりＸ方向の外力が加わると、第２中途部１０４が当該外力を吸収するため第１中途部１０３におけるＸ方向のねじれによる変形反力を抑制する。
【００１８】
このように、Ｘ方向およびＹ方向のいずれの方向についてもフレキシブルプリント基板１００からの変形反力を抑制することができる。したがって、フレキシブルプリント基板１００の変形反力を抑制するために幅を狭くしたり切れ込みを入れたりする必要がなく、信号伝送効率の低減を抑制することができる。
【００１９】
可撓性基板を実装した装置２００が、たとえばデジタルカメラのような撮像装置の防振機構（手振れ補正機構）に適用された場合、防振機構は撮像ユニット基板である第１回路基板２０１をアクチュエータでＸ方向およびＹ方向に移動させる。フレキシブルプリント基板１００は上述した変形反力を抑制するため、撮像素子を移動する際の負荷を低減することができ、移動時の位置決め精度の低下を抑制することができる。
【００２０】
（第２の実施の形態）
つぎに、第２の実施の形態について説明する。第２の実施の形態は、第１の実施の形態の可撓性基板を実装した装置において、第１回路基板２０１と第２回路基板２０２との間の空きスペースに、複数のフレキシブルプリント基板を互いに直交する方向に組み合わせて配置した例である。
【００２１】
このように、フレキシブルプリント基板１００，３００を第１回路基板２０１および第２回路基板２０２の間に実装することにより、空きスペースを有効活用しながらデータ転送量の増加を図る。なお、第２の実施の形態では、第１の実施の形態と同一構成については同一符号を用い、その説明を省略する。
【００２２】
まず、図１を用いてもう１つのフレキシブルプリント基板３００を説明する。図１の（Ａ）において、フレキシブルプリント基板３００の一端３０１は−Ｙ方向に向けられ、他端３０２は−Ｘ方向に向けられている。一端３０１および他端３０２はそれぞれ、後述するコネクタに接続するための端子を有する。一端３０１および他端３０２の間の領域を、第１中途部３０３、第２中途部３０４、および接続部３０５と称す。第１中途部３０３は接続部３０５と一端３０１との間でＹ方向に延在し、第２中途部３０４は接続部３０５と他端３０２との間でＸ方向に延在する。接続部３０５は、第１中途部３０３と第２中途部３０４とを接続する。
【００２３】
図１の（Ｂ）は、一端３０１が−Ｙ方向から＋Ｙ方向に湾曲して第１中途部３０３においてフレキシブルプリント基板３００の表面３００ａが対向するように折り返し、かつ、他端３０２が−Ｘ方向から＋Ｘ方向に湾曲して第２中途部３０４においてフレキシブルプリント基板３００の裏面３００ｂが対向するように折り返した状態を示す。
【００２４】
第１中途部３０３のＸ方向の断面と第２中途部３０４のＹ方向の断面はともに略Ｕ字形状である。換言すれば、第１中途部３０３は、−Ｙ方向に突出した湾曲状の凸部を構成する。また、第２中途部３０４は、＋Ｘ方向に突出した湾曲状の凸部を構成する。
【００２５】
図３は、第２の実施の形態にかかる可撓性基板を実装した装置を示す斜視図である。図３において、フレキシブルプリント基板１００の構成は図２に示した構成と同一であるため、説明を省略する。第１回路基板２０１は、その表面に２つの第１コネクタ２１１，２１２を有する。第１コネクタ２１２は、フレキシブルプリント基板３００の一端３０１との接続面が−Ｙ方向に向いており、フレキシブルプリント基板３００の一端３０１と接続される。第１回路基板２０１は、たとえば撮像素子とともに撮像ユニットを構成する回路基板（撮像ユニット基板）であり、撮像素子が実装される。撮像素子からの出力信号は、第１回路基板２０１からフレキシブルプリント基板１００，３００を介して第２回路基板２０２に伝達される。
【００２６】
第２回路基板２０２は、その表面２０２ａに２つの第２コネクタ２２１，２２２を有する。第２コネクタ２２１は、フレキシブルプリント基板３００の他端３０２との接続面が＋Ｘ方向に向いており、フレキシブルプリント基板３００の他端３０２と接続される。また、フレキシブルプリント基板１００の接続部１０５とフレキシブルプリント基板３００の接続部３０５が干渉しないように、すなわち、接続部１０５，３０５がＺ方向において間隔をあけてフレキシブルプリント基板１００、３００が実装されることが望ましい。仮に、接続部１０５と接続部３０５とが接触しても、それによって生じる摩擦力がきわめて微小であれば、フレキシブルプリント基板１００とフレキシブルプリント基板３００の互いの動きを阻害することはない。
【００２７】
第１回路基板２０１からの信号の伝達経路がフレキシブルプリント基板３００の一端３０１から始まり、第１中途部３０３で−Ｙ方向から＋Ｙ方向になり、接続部３０５で＋Ｙ方向から旋回して−Ｘ方向になり、第２中途部３０４で−Ｘ方向から＋Ｘ方向になって他端３０２に到達する。これにより、第１回路基板２０１からの信号が第２回路基板２０２に伝達される。
【００２８】
フレキシブルプリント基板１００，３００に対し、たとえば第１回路基板２０１のＹ方向への移動によりＹ方向の外力が加わると、第１中途部１０３，３０３が当該外力を吸収するため第２中途部１０４，３０４におけるＹ方向のねじれによる変形反力を抑制する。同様に、フレキシブルプリント基板１００，３００に対し、たとえば第１回路基板２０１のＸ方向への移動によりＸ方向の外力が加わると、第２中途部１０４，３０４が当該外力を吸収するため第１中途部１０３，３０３におけるＸ方向のねじれによる変形反力を抑制する。
【００２９】
このように、Ｘ方向およびＹ方向のいずれの方向についてもフレキシブルプリント基板１００，３００からの変形反力を抑制することができる。したがって、フレキシブルプリント基板１００の変形反力を抑制するために幅を狭くしたり切れ込みを入れたりする必要がなく、信号伝送効率の低減を抑制することができる。
【００３０】
可撓性基板を実装した装置２００が、たとえば、デジタルカメラのような撮像装置の防振機構に適用された場合、防振機構は、撮像ユニット基板である第１回路基板２０１をアクチュエータでＸ方向およびＹ方向に移動させる。フレキシブルプリント基板１００，３００は、上述した変形反力を抑制するため、撮像素子を移動する際の負荷を低減することができ、移動時の位置決め精度の低下を抑制することができる。
【００３１】
また、２つのフレキシブルプリント基板１００，３００を第１回路基板２０１および第２回路基板２０２の間に実装したことにより、データ転送量の増加を図ることができる。また、第１回路基板２０１上のある回路からの出力信号はフレキシブルプリント基板１００を経由して第２回路基板２０２上のある回路に出力し、第１回路基板２０１上の別の回路からの出力信号はフレキシブルプリント基板３００を経由して第２回路基板２０２上の別の回路に出力するというように、フレキシブルプリント基板１００，３００ごとに独立して並列に信号伝送することもできる。
【００３２】
また、第１回路基板２０１および第２回路基板２０２の間の空きスペースにフレキシブルプリント基板１００，３００を実装しているため、第１回路基板２０１および第２回路基板２０２の間の空きスペースの有効活用化（省スペース化）を図ることができ、可撓性基板を実装した装置２００を実装する電子機器のコンパクト化を図ることができる。
【００３３】
（第３の実施の形態）
つぎに、第３の実施の形態について説明する。第１の実施の形態，２では略Ｌ字形状のフレキシブルプリント基板１００，３００について説明したが、第３の実施の形態では略Ｔ字形状のフレキシブルプリント基板について説明する。フレキシブルプリント基板を略Ｔ字形状とすることにより、フレキシブルプリント基板からの変形反力を抑制しながら、第１回路基板２０１の回路からの出力信号を略Ｔ字形状のフレキシブルプリント基板により分岐させて第２回路基板２０２上の異なる回路に伝送することができる。なお、第３の実施の形態では、第１の実施の形態，２と同一構成については同一符号を用い、その説明を省略する。
【００３４】
＜フレキシブルプリント基板＞
図４は、第３の実施の形態にかかるフレキシブルプリント基板を示す説明図である。（Ａ）は、フレキシブルプリント基板４００の平面図であり、（Ｂ）は、フレキシブルプリント基板４００の斜視図である。（Ａ）において、フレキシブルプリント基板４００は略Ｔ字形状である。フレキシブルプリント基板４００の一端１０１は＋Ｙ方向に向けられ、他端１０２Ａは＋Ｘ方向に向けられ、他端１０２Ｂは−Ｘ方向に向けられている。
【００３５】
一端１０１および他端１０２Ａ，１０２Ｂはそれぞれ、後述するコネクタに接続するための端子を有する。一端１０１および他端１０２Ａ，１０２Ｂの間の領域を、第１中途部１０３、第２中途部１０４Ａ、１０４Ｂ、および接続部４０５と称す。第１中途部１０３は、接続部１０５と一端１０１との間で＋Ｙ方向に延在し、第２中途部１０４Ａは接続部１０５と他端１０２Ａとの間で＋Ｘ方向に延在し、第２中途部１０４Ｂは接続部１０５と他端１０２Ｂとの間で−Ｘ方向に延在する。接続部４０５は第１中途部１０３と第２中途部１０４Ａ、１０４Ｂとを接続する。
【００３６】
（Ｂ）は、一端１０１が＋Ｙ方向から−Ｙ方向に湾曲して第１中途部１０３においてフレキシブルプリント基板４００の表面４００ａが対向するように折り返し、他端１０２Ａが＋Ｘ方向から−Ｘ方向に湾曲して第２中途部１０４Ａにおいてフレキシブルプリント基板４００の裏面４００ｂが対向するように折り返し、他端１０２Ｂが−Ｘ方向から＋Ｘ方向に湾曲して第２中途部１０４Ｂにおいてフレキシブルプリント基板４００の裏面４００ｂが対向するように折り返した状態を示す。
【００３７】
第１中途部１０３のＸ方向の断面と第２中途部１０４Ａ，１０４ＢのＹ方向の断面はともに略Ｕ字形状である。換言すれば、第１中途部１０３は、＋Ｙ方向に突出した湾曲状の凸部を構成する。また、第２中途部１０４Ａは、＋Ｘ方向に突出した湾曲状の凸部を構成する。また、第２中途部１０４Ｂは、−Ｘ方向に突出した湾曲状の凸部を構成する。
【００３８】
＜可撓性基板を実装した装置の構成例＞
図５は、第３の実施の形態にかかる可撓性基板を実装した装置の構成例を示す斜視図である。可撓性基板を実装した装置２００は、第１回路基板２０１と、第２回路基板２０２と、フレキシブルプリント基板４００と、を有する。第１回路基板２０１はＸＹ平面に平行であり、Ｘ方向およびＹ方向に移動可能である。第１回路基板２０１はその表面２０１ａに第１コネクタ２１１を有する。第１コネクタ２１１はフレキシブルプリント基板４００の一端１０１との接続面が＋Ｙ方向に向いており、フレキシブルプリント基板４００の一端１０１と接続される。
【００３９】
第１回路基板２０１は、たとえば撮像素子とともに撮像ユニットを構成する回路基板（撮像ユニット基板）であり、撮像素子が実装される。撮像素子からの出力信号は、第１回路基板２０１からフレキシブルプリント基板４００を介して第２回路基板２０２に伝達される。
【００４０】
第２回路基板２０２はＸＹ平面に平行であり、第１回路基板２０１と対向する。第２回路基板２０２はその表面２０２ａに２つの第２コネクタ２２１，２２２を有する。第２コネクタ２２１はフレキシブルプリント基板４００の他端１０２Ａとの接続面が−Ｘ方向に向いており、フレキシブルプリント基板４００の他端１０２Ａと接続される。第２コネクタ２２２はフレキシブルプリント基板４００の他端１０２Ｂとの接続面が＋Ｘ方向に向いており、フレキシブルプリント基板４００の他端１０２Ｂと接続される。第２回路基板２０２は、たとえば撮像ユニットを制御するメイン回路を実装する回路基板（メイン基板）である。
【００４１】
第１回路基板２０１からの信号の伝達経路が一端１０１から始まり、第１中途部１０３で＋Ｙ方向から−Ｙ方向になり、接続部４０５で−Ｙ方向から旋回して＋Ｘ方向および−Ｘ方向になり、第２中途部１０４Ａで＋Ｘ方向から−Ｘ方向になるとともに第２中途部１０４Ｂで−Ｘ方向から＋Ｘ方向になって他端１０２Ａ，１０２Ｂに到達する。これにより、第１回路基板２０１からの信号が第２回路基板２０２に伝達される。
【００４２】
フレキシブルプリント基板４００に対し、たとえば第１回路基板２０１のＹ方向への移動によりＹ方向の外力が加わると、第１中途部１０３が当該外力を吸収するため第２中途部１０４Ａ，１０４ＢにおけるＹ方向のねじれによる変形反力を抑制する。同様に、フレキシブルプリント基板４００に対し、たとえば第１回路基板２０１のＸ方向への移動によりＸ方向の外力が加わると、第２中途部１０４Ａ，１０４Ｂが当該外力を吸収するため第１中途部１０３におけるＸ方向のねじれによる変形反力を抑制する。
【００４３】
このように、Ｘ方向およびＹ方向のいずれの方向についてもフレキシブルプリント基板４００からの変形反力を抑制することができる。したがって、フレキシブルプリント基板１００の変形反力を抑制するために幅を狭くしたり切れ込みを入れたりする必要がなく、信号伝送効率の低減を抑制することができる。
【００４４】
可撓性基板を実装した装置２００が、たとえばデジタルカメラのような撮像装置の防振機構に適用された場合、防振機構は撮像ユニット基板である第１回路基板２０１をアクチュエータでＸ方向およびＹ方向に移動させる。フレキシブルプリント基板は上述した変形反力を抑制するため、撮像素子を移動する際の負荷を低減することができ、移動時の位置決め精度の低下を抑制することができる。
【００４５】
また、フレキシブルプリント基板を略Ｔ字形状としたことにより、フレキシブルプリント基板４００からの変形反力を抑制しながら、第１回路基板２０１の回路からの出力信号を略Ｔ字形状のフレキシブルプリント基板４００により分岐させて第２回路基板２０２上の異なる回路に伝送することができる。したがって、伝送効率の向上を図ることができる。
【００４６】
たとえば、第１回路基板２０１上のある回路からの出力信号を、他端１０２Ａに接続される第２回路基板２０２上のある回路に伝送し、かつ、他端１０２Ｂに接続される第２回路基板２０２上の別の回路に伝送することができる。すなわち、同一の出力信号を第２回路基板２０２上の異なる回路に伝送することができる。
【００４７】
また、第１回路基板２０１上の回路からの出力信号の一部を、他端１０２Ａに接続される第２回路基板２０２上のある回路に伝送し、かつ、第１回路基板２０１上の回路からの出力信号の残余を、他端１０２Ｂに接続される第２回路基板２０２上の別の回路に伝送することができる。すなわち、伝送先ごとに信号経路を分離することができる。
【００４８】
（第４の実施の形態）
第４の実施の形態は、第３の実施の形態のフレキシブルプリント基板４００において、第１中途部１０３をその長手方向により長尺とした例である。第３の実施の形態のフレキシブルプリント基板４００は略Ｔ字形状であるため、Ｘ方向に２つの湾曲部分（第２中途部１０４Ａ，１０４Ｂ）を有する一方、Ｙ方向には１つの湾曲部分（第１中途部１０３）を有していた。第４の実施の形態は、第１中途部１０３をより長尺とすることにより、一端４０１と接続部４０５との間でＹ方向に２つの湾曲部分を形成する。
【００４９】
このように、Ｘ方向およびＹ方向で湾曲部分を同数配置することができ、Ｙ方向のねじれによる変形反力の抑制と、Ｘ方向のねじれによる変形反力の抑制との均一化を図ることができる。なお、第４の実施の形態では、第３の実施の形態と同一構成については同一符号を用い、その説明を省略する。
【００５０】
図６は、第４の実施の形態にかかるフレキシブルプリント基板を示す説明図であり、図７は、第４の実施の形態にかかる可撓性基板を実装した装置を示す斜視図である。図７では、説明の便宜上、第１回路基板２０１の裏面上の第１コネクタ６１１を見せるため、第１回路基板２０１の一部を切り欠いている。
【００５１】
図６のフレキシブルプリント基板６００は、図４のフレキシブルプリント基板４００に比べ、第１中途部６０３が図４のフレキシブルプリント基板４００の第１中途部１０３よりもＹ方向に長尺である。図６において、第１中途部６０３は、第１領域６３１と、第２領域６３２と、第３領域６３３と、を有する。第１領域６３１が一端１０１に接続され、第２領域６３２が第１領域６３１と第３領域６３３との間に接続され、第３領域６３３が接続部４０５に接続される。
【００５２】
図７において、第１回路基板２０１は、その裏面２０１ｂに第１コネクタ６１１を有する。第１コネクタ６１１は、フレキシブルプリント基板６００の一端１０１との接続面が−Ｙ方向に向いており、フレキシブルプリント基板６００の一端１０１と接続される。
【００５３】
また、第３領域６３３は、＋Ｙ方向から−Ｙ方向に湾曲して第１中途部６０３においてフレキシブルプリント基板６００の裏面６００ｂが対向するように折り返す。第２領域６３２は、第３領域６３３から−Ｙ方向に延在する。第１領域６３１は、−Ｙ方向から＋Ｙ方向に湾曲して第１中途部６０３においてフレキシブルプリント基板６００の表面６００ａが対向するように折り返す。これにより、一端１０１が第１コネクタ６１１に接続される。
【００５４】
図７に示したように、Ｘ方向の湾曲部分（１０４Ａ，１０４Ｂ）とＹ方向の湾曲部分（６３１，６３３）を同数としたことにより、バランスよくフレキシブルプリント基板からの変形反力の抑制することができ、変形反力の抑制の安定化を図ることができる。
【００５５】
（第５の実施の形態）
第５の実施の形態は、第１の実施の形態の可撓性基板を実装した装置２００において、放熱シートを設けた例である。第１回路基板２０１や第１回路基板２０１上に実装される回路は熱源であり、基板面積や回路数の増大により発熱量も増大する。第１回路基板２０１からの発生熱を放熱する放熱シートも、フレキシブルプリント基板１００と同様、可撓性基板である。このため、フレキシブルプリント基板１００と同様、放熱シートにもＸ方向およびＹ方向に湾曲部分を形成する。これにより、Ｘ方向およびＹ方向のいずれの方向についても放熱シートからの変形反力を抑制することが可能となる。なお、第２の実施の形態では、第１の実施の形態と同一構成については同一符号を用い、その説明を省略する。
【００５６】
＜放熱シート＞
図８は、第５の実施の形態にかかる放熱シートを示す説明図である。（Ａ）は、放熱シート８００の平面図であり、（Ｂ）は、放熱シート８００の斜視図である。（Ａ）において、放熱シート８００は、略Ｌ字形状である。放熱シート８００は、たとえばグラファイトシートのような熱伝導性を有する可撓性シートである。
【００５７】
放熱シート８００の一端８０１は＋Ｘ方向に向けられ、他端８０２は−Ｙ方向に向けられている。一端８０１および他端８０２はそれぞれ、後述するコネクタに接続するための端子を有する。一端８０１および他端８０２の間の領域を、第１中途部８０３、第２中途部８０４、および接続部８０５と称す。第１中途部８０３は、接続部８０５から＋Ｘ方向に延在し、第２中途部８０４は、接続部８０５から−Ｙ方向に延在する。接続部８０５は、第１中途部８０３と第２中途部８０４とを接続する。
【００５８】
（Ｂ）は、一端８０１が＋Ｘ方向から−Ｘ方向に湾曲して第１中途部８０３において放熱シート８００の表面８００ａが対向するように折り返し、かつ、他端８０２が−Ｙ方向から＋Ｙ方向に湾曲して第２中途部８０４において放熱シート８００の裏面８００ｂが対向するように折り返した状態を示す。第１中途部８０３のＸ方向の断面と第２中途部８０４のＹ方向の断面はともに略Ｕ字形状である。換言すれば、第１中途部８０３は、−Ｘ方向に突出した湾曲状の凸部を構成する。また、第２中途部８０４は、−Ｙ方向に突出した湾曲状の凸部を構成する。
【００５９】
＜可撓性基板を実装した装置の構成例＞
図９は、第５の実施の形態にかかる可撓性基板を実装した装置の構成例を示す斜視図である。可撓性基板を実装した装置９００は、第１回路基板２０１と、第２回路基板２０２と、金属性基板９１０と、フレキシブルプリント基板と、放熱シート８００と、を有する。金属性基板９１０は、ＸＹ平面に平行であり、第２回路基板２０２と対向する。
【００６０】
第２回路基板２０２と金属性基板９１０とは接触していてもよく、間隔を空けていてもよい。放熱シート８００の一端８０１の表面８０１ａ側は、熱源となる第１回路基板２０１の表面２０１ａに接続、たとえば、貼着される。同様に、放熱シート８００の他端８０２の表面８０１ａ側は、金属性基板９１０の表面９０１ａに接続、たとえば、貼着される。
【００６１】
また、フレキシブルプリント基板１００の接続部１０５と放熱シート８００の接続部８０５が干渉しないように、すなわち、接続部１０５，８０５がＺ方向において間隔をあけて、フレキシブルプリント基板１００と放熱シート８００が実装されることが望ましい。
【００６２】
第１回路基板２０１からの熱の伝達経路が一端８０１から始まり、第１中途部８０３で＋Ｘ方向から−Ｘ方向になり、接続部８０５で−Ｘ方向から旋回して−Ｙ方向になり、第２中途部８０４で−Ｙ方向から＋Ｙ方向になって他端８０２に到達する。これにより、第１回路基板２０１からの熱が金属性基板９１０に伝達され、金属性基板９１０から放熱される。
【００６３】
放熱シート８００に対し、たとえば第１回路基板２０１のＸ方向への移動によりＸ方向の外力が加わると、第１中途部８０３が当該外力を吸収するため第２中途部８０４におけるＸ方向のねじれによる変形反力を抑制する。同様に、放熱シート８００に対し、たとえば第１回路基板２０１のＹ方向への移動によりＹ方向の外力が加わると、第２中途部８０４が当該外力を吸収するため第１中途部８０３におけるＹ方向のねじれによる変形反力を抑制する。
【００６４】
このように、Ｘ方向およびＹ方向のいずれの方向についても放熱シート８００からの変形反力を抑制することができる。すなわち、放熱シートの変形反力を抑制するためにシート幅を狭くしたり切れ込みを入れたりする必要がなく、放熱効率の低減を抑制することができる。
【００６５】
可撓性基板を実装した装置９００が、たとえばデジタルカメラのような撮像装置の防振機構に適用された場合、防振機構は撮像ユニット基板である第１回路基板２０１をアクチュエータでＸ方向およびＹ方向に移動させる。放熱シート８００は上述した変形反力を抑制するため、撮像素子を移動する際の負荷を低減することができ、移動時の位置決め精度の低下を抑制することができる。
【００６６】
また、第１回路基板２０１および第２回路基板２０２の間の空きスペースにフレキシブルプリント基板１００および放熱シート８００を実装しているため、第１回路基板２０１および第２回路基板２０２の間の空きスペースの有効活用化（省スペース化）を図ることができ、可撓性基板を実装した装置２００を実装する電子機器のコンパクト化を図ることができる。
【００６７】
（第６の実施の形態）
第６の実施の形態は、第１の実施の形態の可撓性基板を実装した装置２００を適用した防振機構の例である。防振機構は、撮像装置などの電子機器に実装される。第６の実施の形態にかかる防振機構では第１の実施の形態の可撓性基板を実装した装置２００を適用した例について説明するが、第２の実施の形態〜第５の実施の形態の可撓性基板を実装した装置２００，９００を適用してもよい。なお、第１の実施の形態〜５と同一構成には同一符号を付し、その説明を省略する。
【００６８】
図１０は、防振機構の側断面図である。防振機構１０００は、可撓性基板を実装した装置２００を含む。また、防振機構１０００は、たとえば撮像装置１０２０に設けられ、撮像素子１００１と、ブラケット１００２と、コイル１００３と、磁気センサ１００４と、フロントヨーク板１００５と、第１マグネット１００６と、バックヨーク板１００７と、第２マグネット１００８と、ボール１００９と、背面板１０１０と、を有する。
【００６９】
撮像素子１００１は第１回路基板２０１上に実装され、−Ｚ方向からの被写体光を撮像して電気信号を第１回路基板２０１に出力する。第１回路基板２０１は、撮像素子１００１からの電気信号を処理して、処理した信号をフレキシブルプリント基板１００に出力する。
【００７０】
ブラケット１００２は、第１回路基板２０１をＸ方向およびＹ方向に移動可能に保持する保持板である。ブラケット１００２は、バックヨーク板１００７に対し不図示のバネにより付勢され、ボール１００９によってＺ方向の高さが確保される。
【００７１】
コイル１００３、フロントヨーク板１００５、磁気センサ１００４、第１マグネット１００６、バックヨーク板１００７、第２マグネット１００８、およびボール１００９は、ブラケット１００２をＸ方向およびＹ方向に微細駆動するように制御するアクチュエータである。磁気センサ１００４は、ブラケット１００２のＸＹ平面の位置を検出する。背面板１０１０は、撮像装置１０２０を背面から封止する板である。第５の実施の形態に適用する場合、背面板１０１０は図９の金属性基板９１０としてもよい。
【００７２】
このように、第１の実施の形態〜第４の実施の形態の可撓性基板を実装した装置２００を撮像装置１０２０の防振機構１０００に実装することにより、手振れ補正の安定性や位置決め精度の向上を図ることができる。また、第５の実施の形態の可撓性基板を実装した装置９００を撮像装置１０２０の防振機構１０００に実装することにより、手振れ補正の安定性や位置決め精度の向上を図ることができるとともに、放熱効率の向上を図ることができる。
【００７３】
また、変形反力を抑制するために、防振機構１０００のストロークを短くする必要がなく、防振効果の低減を抑制することができる。また、防振機構１０００の駆動力を必要以上に上げる必要がなく、防振機構１０００の大型化、重量の増大、および消費電力の増大を抑制することができる。また、防振機構１０００がＺ軸回りに回転した場合でも、突出方向がＸ方向およびＹ方向に直交しあう湾曲状の凸部がねじれを分散して吸収するため、変形反力を抑制することができる。
【００７４】
また、第１の実施の形態〜第４の実施の形態では、可撓性基板としてフレキシブルプリント基板１００，３００，４００，６００を用いた例について説明したが、フレキシブルプリント基板１００，３００，４００，６００と同一形状の放熱シートを適用してもよい。この場合、放熱シートの他端は、第２回路基板２０２ではなく金属性基板に接続されるものとする。
【００７５】
以上説明したように、本実施の形態にかかる可撓性基板によれば、突出方向がＸ方向およびＹ方向に直交しあう湾曲状の凸部を有する。したがって、Ｘ方向の外力により生じる可撓性基板のねじれをＸ方向に湾曲状に突出した凸部で吸収することができるため、その変形反力を抑制することができるとともに、Ｙ方向の外力により生じる可撓性基板のねじれをＹ方向に湾曲状に突出した凸部で吸収することができるため、その変形反力を抑制することができる。したがって、可撓性基板の変形反力を抑制するために幅を狭くしたり切れ込みを入れたりする必要がなく、第１回路基板２０１からの出力の伝達効率の低減を抑制することができる。
【００７６】
なお、本発明は上記の内容に限定されるものではなく、これらを任意に組み合わせたものであっても良い。また、本発明の技術的思想の範囲で考えられるその他の態様も本発明の範囲に含まれる。
【符号の説明】
【００７７】
１００，３００，４００，６００  フレキシブルプリント基板、１０１，３０１  一端、１０２，１０２Ａ，１０２Ｂ，３０２  他端、１０３，３０３、第１中途部、１０４，３０４，１０４Ａ，１０４Ｂ  第２中途部、１０５，３０５，８０５  接続部、２００，９００  可撓性基板を実装した装置、２０１  第１回路基板、２０２  第２回路基板、８００  放熱シート、９１０  金属性基板、１０００  防振機構、１００１  撮像素子
【図１】
2019161439.tif 000003
【図２】
2019161439.tif 000004
【図３】
2019161439.tif 000005
【図４】
2019161439.tif 000006
【図５】
2019161439.tif 000007
【図６】
2019161439.tif 000008
【図７】
2019161439.tif 000009
【図８】
2019161439.tif 000010
【図９】
2019161439.tif 000011
【図１０】
2019161439.tif 000012